(57)【要約】      （修正有）【課題】コンセント口やリード差込口の位置などを分かり易くして使い勝手及び利便性を高めるとともに、部品の共通化などにより低コスト性を高める。【解決手段】一組のプラグピン２ａ、２ｂと、一組のコンセント口３ａ、３ｂと、計測器４０のリードが差し込まれる一組のリード差込口４ａ、４ｂを有するとともに、コンセント口に臨む一組の内部接続端子間とリード差込口に臨む一組の内部接続端子間を接続して直列回路とし、かつこの直列回路の両端をプラグピンにそれぞれ接続してなる計測用コンセント１を構成するに際して、ハウジング６の側面部６ｓであって、相対向する位置にある側面部６ｓｙに、コンセント口とリード差込口をそれぞれ配するとともに、ハウジング６の底面部６ｄにプラグピンを配し、かつこの底面部６ｄに対向する位置にある平面部６ｕに表示部７を設ける。【選択図】図１
0003129839.tif 000002
【実用新案登録請求の範囲】
【請求項１】
少なくとも、他の電源コンセントに差し込む一組のプラグピンと、他の電源プラグが差し込まれる一組のコンセント口と、計測器のリードが差し込まれる一組のリード差込口を有するとともに、前記コンセント口に臨む一組の内部接続端子間と前記リード差込口に臨む一組の内部接続端子間を接続して直列回路とし、かつこの直列回路の両端を前記プラグピンにそれぞれ接続してなる計測用コンセントにおいて、ハウジングの側面部であって、相対向する位置にある側面部に、前記コンセント口と前記リード差込口をそれぞれ配するとともに、ハウジングの底面部に前記プラグピンを配し、かつこの底面部に対向する位置にある平面部に表示部を設けたことを特徴とする計測用コンセント。
【請求項２】
前記リード差込口の形状は、前記計測器のリードの断面形状と略相似形状に形成することを特徴とする請求項１記載の計測用コンセント。
【請求項３】
前記表示部には、少なくとも、前記コンセント口及び前記リード差込口の位置を示す位置表示部を設けることを特徴とする請求項１記載の計測用コンセント。
【考案の詳細な説明】
【技術分野】
【０００１】
本考案は、計測器のリードが差し込まれる一組のリード差込口を備える計測用コンセントに関する。
【背景技術】
【０００２】
近時、一般消費者においても省エネルギー性や経済性の観点から節電意識が高まり、省エネルギー性の高さをアピールする家庭電気製品も増えている。一方、家庭電気製品の場合、消費電力はカタログや取扱説明書における表示に頼らざるを得ないが、実際の消費電力は、使用期間や設置環境などにより変動することも多く、一般消費者は実際の消費電力を把握できていないのが実情であり、節電対策を推進する上でもマイナス要因になっている。
【０００３】
このため、従来、各種電気機器の電流測定が可能な多目的コネクタも、登録実用新案第３００７６１７号で知られている。この多目的コネクタは、絶縁体製筺体の第一面に突出する一対の電源用差込み標準刃と、筺体の第二面に穿設された一対の刃受け穴の近接位置に対向して筺体に内設した一対のコンセント標準刃受けと、筺体の第三面に穿設された一対の刃受け穴の近接位置に対向して筺体に内設した一対の多目的コンセント刃受けとを備え、多目的コンセント刃受けの一方を電源用差込み標準刃の一方に導通させ、多目的コンセント刃受けの他方をコンセント標準刃受けの一方に導通させ、電源用差込み標準刃の他方をコンセント標準刃受けの他方に導通させたものである。
【特許文献１】登録実用新案第３００７６１７号
【考案の開示】
【考案が解決しようとする課題】
【０００４】
しかし、上述した従来の多目的コネクタは、次のような問題点があった。
【０００５】
第一に、一般家庭において電気製品の消費電力を手軽にチェックする観点から考案されていないため、一般的な電源コンセントのように使えないとともに、刃受け穴の位置が分かりにくいなど、使い易さの観点から十分とはいえず、使い勝手及び利便性に劣る。
【０００６】
第二に、多目的用途を目的とし、全体形状を多目的コネクタの専用形状となるように構成するため、専用の部品を用意（製作）する必要があるなど、部品コスト及び製作コスト双方のコストアップを招く。
【０００７】
本考案は、このような背景技術に存在する課題を解決した計測用コンセントの提供を目的とするものである。
【課題を解決するための手段】
【０００８】
本考案は、上述した課題を解決するため、少なくとも、他の電源コンセントに差し込む一組のプラグピン２ａ，２ｂと、他の電源プラグ３０が差し込まれる一組のコンセント口３ａ，３ｂと、計測器４０のリード４１ａ，４１ｂが差し込まれる一組のリード差込口４ａ，４ｂを有するとともに、コンセント口３ａ，３ｂに臨む一組の内部接続端子３ｐ，３ｑ間とリード差込口４ａ，４ｂに臨む一組の内部接続端子４ｐ，４ｑ間を接続して直列回路５とし、かつこの直列回路５の両端をプラグピン２ａ，２ｂにそれぞれ接続してなる計測用コンセント１を構成するに際して、ハウジング６の側面部６ｓであって、相対向する位置にある側面部６ｓｘと６ｓｙに、コンセント口３ａ，３ｂとリード差込口４ａ，４ｂをそれぞれ配するとともに、ハウジング６の底面部６ｄにプラグピン２ａ，２ｂを配し、かつこの底面部６ｄに対向する位置にある平面部６ｕに表示部７を設けたことを特徴とする。
【０００９】
この場合、考案の好適な態様により、リード差込口４ａ，４ｂの形状は、計測器４０のリード４１ａ，４１ｂの断面形状と略相似形状に形成することができる。また、表示部７には、少なくとも、コンセント口３ａ，３ｂ及びリード差込口４ａ，４ｂの位置を示す位置表示部７ｃ，７ｔを設けることができる。
【考案の効果】
【００１０】
このような構成を有する本考案に係る計測用コンセント１によれば、次のような顕著な効果を奏する。
【００１１】
（１）  ハウジング６の側面部６ｓであって、相対向する位置にある側面部６ｓｘと６ｓｙに、コンセント口３ａ，３ｂとリード差込口４ａ，４ｂをそれぞれ配するとともに、ハウジング６の底面部６ｄにプラグピン２ａ，２ｂを配し、かつ平面部６ｕに表示部７を設けたため、一般的な電源コンセントのように手軽に使用できるとともに、コンセント口３ａ，３ｂやリード差込口４ａ，４ｂの位置などが分かり易く、使い勝手及び利便性に優れる。
【００１２】
（２）  一般的な電源コンセントに類する構成を採用するため、部品の共通化により部品コスト及び製作コスト双方のコストダウンを実現できるなど、低コスト性に優れる。
【００１３】
（３）  好適な態様により、リード差込口４ａ，４ｂの形状を、計測器４０のリード４１ａ，４１ｂの断面形状と略相似形状に形成すれば、例えば、丸棒状のリード４１ａ，４１ｂであっても、容易かつ確実に差し込むことができるとともに、誤って電源プラグ３０を差し込んでしまう不具合を回避することができる。
【００１４】
（４）  好適な態様により、表示部７に、少なくとも、コンセント口３ａ，３ｂ及びリード差込口４ａ，４ｂの位置を示す位置表示部７ｃ，７ｔを設ければ、コンセント口３ａ，３ｂとリード差込口４ａ，４ｂの位置を容易かつ確実に見分けることができるため、利便性をより高めることができる。
【考案を実施するための最良の形態】
【００１５】
次に、本考案に係る最良の実施形態を挙げ、図面に基づき詳細に説明する。
【００１６】
まず、本実施形態に係る計測用コンセント１の構成について、図１〜図５を参照して説明する。
【００１７】
計測用コンセント１は、上ハウジング部６ｕと下ハウジング部６ｄの組合わせからなるハウジング６を備える。上ハウジング部６ｕと下ハウジング部６ｄはそれぞれプラスチック等により一体成形し、上ハウジング部６ｕと下ハウジング部６ｄを組合わせてネジ止めした際におけるハウジング６の全体形状は略直方体状となる。なお、図４中、１１は、止ネジが挿通する挿通孔を示す。
【００１８】
一方、ハウジング６の側面部となる上ハウジング部６ｕの側面部６ｓは、四つの側面部を有し、上ハウジング部６ｕの長手方向における相対向する位置にある一方の側面部６ｓｘに、図３に示す一組のコンセント口３ａ，３ｂを設けるとともに、他方の側面部６ｓｙに、図２に示す一組のリード差込口４ａ，４ｂを設ける。この場合、リード差込口４ａ，４ｂの形状は、計測器４０のリード４１ａ，４１ｂの断面形状と略相似形状に形成する。図５には、計測器４０としてテスターを例示する。このようなテスターでは、丸棒状のテスターリード４１ａ，４１ｂを備えているため、リード差込口４ａ，４ｂは、このテスターリード４１ａ，４１ｂの断面形状よりも若干大きい円形に形成することができる。リード差込口４ａ，４ｂを、このように形成することにより、リード差込口４ａ，４ｂに対してリード４１ａ，４１ｂを容易かつ確実に差し込むことができるとともに、誤って電源プラグ３０を差し込んでしまう不具合を回避することができる利点がある。他方、コンセント口３ａ，３ｂは、図５に示す電源プラグ３０における一組のプラグピンが挿入することができるように、一般的な電源コンセントにおけるコンセント口と同様の縦に細長い矩形状に形成する。
【００１９】
また、上ハウジング部６ｕの平面部６ｕには表示部７を設ける。この表示部７には、図５に示すように、少なくとも、コンセント口３ａ，３ｂ及びリード差込口４ａ，４ｂの位置を示す位置表示部７ｃ，７ｔを設ける。この場合、コンセント口３ａ，３ｂの位置を示す位置表示部７ｃは、平面部６ｕにおけるコンセント口３ａ…側寄りの位置に設け、コンセント側であることを文字或いは図形等により明確に表示するとともに、リード差込口４ａ，４ｂの位置を示す位置表示部７ｔは、平面部６ｄにおけるリード差込口４ａ…側寄りの位置に設け、計測器（テスター）側であることを文字或いは図形等により明確に表示する。これにより、コンセント口３ａ，３ｂとリード差込口４ａ，４ｂの位置を容易かつ確実に見分けることができるため、利便性を高めることができる利点がある。
【００２０】
さらに、平面部６ｕに対向する位置にある下ハウジング部６ｄの底面部６ｄには、他の電源コンセントに差し込む一組のプラグピン２ａ，２ｂを下方に突出させて設ける。この場合、底面部６ｄの上面側には、図４に示すように、一組の内部接続端子３ｐ，３ｑと一組の内部接続端子４ｐ，４ｑを配設する。内部接続端子３ｐ，３ｑは、上ハウジング部６ｕを組付けた際に、コンセント口３ａ，３ｂに臨む位置に配し、コンセント口３ａ，３ｂに対して電源プラグ３０におけるプラグピンを挿入した際には、当該プラグピンが圧入することにより電気的に接続される形態に形成する。また、内部接続端子４ｐ，４ｑは、上ハウジング部６ｕを組付けた際に、リード差込口４ａ，４ｂに臨む位置に配し、リード差込口４ａ，４ｂに対して計測器４０のリード（テスターリード）４１ａ，４１ｂを挿入した際には、当該リード４１ａ，４１ｂが圧入することにより電気的に接続される形態に形成する。なお、対角線上に位置する内部接続端子３ｐと４ｐは同一のものを使用できるとともに、内部接続端子３ｑと４ｑは同一のものを使用できる。そして、一組の内部接続端子３ｐ，３ｑ間と一組の内部接続端子４ｐ，４ｑ間を直列に接続、即ち、内部接続端子３ｑと内部接続端子４ｑ間に接続プレート１２の両端をそれぞれ接続（固着）して直列回路５を構成するとともに、この直列回路５の両端、即ち、内部接続端子３ｐ及び４ｐを、それぞれプラグピン２ａ，２ｂに接続（固着）し、内部接続端子３ｐ及び４ｐに接続（固着）したプラグピン２ａ，２ｂは低面部６ｄを貫通させて外部に突出させる。以上が計測用コンセント１の構成となる。
【００２１】
次に、本実施形態に係る計測用コンセント１の使用方法及び機能について、図４及び図５を参照して説明する。
【００２２】
まず、計測用コンセント１は、底面部６ｄから突出するプラグピン２ａ，２ｂを他の電源コンセントに差し込む。また、図５に示すように、消費電力を測定したい家庭電気製品（例示は電気冷蔵庫）３１の電源コード３２における電源プラグ３０をコンセント口３ａ，３ｂに差し込む。そして、図５に示すように、計測器４０としてテスターを用意し、テスターのテスターリード４１ａ，４１ｂをリード差込口４ａ，４ｂに差し込む。この際、テスターは、電流測定モードにセットする。これにより、図６に示すような電気回路が構成されるため、家庭電気製品３１に流れる電流Ｉを測定することができる。電圧Ｖは既知であるため、消費電力Ｗは、Ｗ＝Ｉ・Ｖにより容易に知ることができる。なお、図６中、６０は商用交流電源（ＡＣ１００〔Ｖ〕）を示す。
【００２３】
よって、このような本実施形態に係る計測用コンセント１によれば、ハウジング６の側面部６ｓであって、相対向する位置にある側面部６ｓｘと６ｓｙに、コンセント口３ａ，３ｂとリード差込口４ａ，４ｂをそれぞれ配するとともに、ハウジング６の底面部６ｄにプラグピン２ａ，２ｂを配し、かつ平面部６ｕに表示部７を設けたため、一般的な電源コンセントのように手軽に使用できるとともに、コンセント口３ａ，３ｂやリード差込口４ａ，４ｂの位置などが分かり易く、使い勝手及び利便性に優れる。また、一般的な電源コンセントに類する構成を採用するため、部品の共通化により部品コスト及び製作コスト双方のコストダウンを実現できるなど、低コスト性に優れる。
【００２４】
以上、最良の実施形態について詳細に説明したが、本考案は、このような実施形態に限定されるものではなく、細部の構成，形状，素材，数量等において、本考案の要旨（精神）を逸脱しない範囲で、任意に変更，追加，削除することができる。
【００２５】
例えば、Ｗ＝Ｉ・Ｖの演算機能（変換機能）をテスター（計測器４０）に内蔵させれば、テスターに消費電力Ｗを直接表示させることができる。また、計測器４０としてテスターを例示したが、任意の計測器を適用できる。この場合、専用の電流計（電力計）などを用意してもよい。さらに、短絡ピンユニットをリード差込口４ａ，４ｂに差込むことにより内部接続端子４ｐと４ｑ間を接続（短絡）すれば、計測用コンセント１はそのまま電源コンセントとして使用できる。この場合、消費電力を測定したいときには、短絡ピンユニットを取外し、代わりに計測器４０のリード４１ａ，４ｂを差込めばそのまま消費電力の測定を行うことができる。
【図面の簡単な説明】
【００２６】
【図１】本考案の最良の実施形態に係る計測用コンセントの斜視図、
【図２】同計測用コンセントの正面図、
【図３】同計測用コンセントの背面図、
【図４】同計測用コンセントの内部構成図、
【図５】同計測用コンセントの使用説明図、
【図６】同計測用コンセントの使用時における電気回路図、
【符号の説明】
【００２７】
１：計測用コンセント，２ａ：プラグピン，２ｂ：プラグピン，３ａ：コンセント口，３ｂ：コンセント口，３ｐ：内部接続端子，３ｑ：内部接続端子，４ａ：リード差込口，４ｂ：リード差込口，４ｐ：内部接続端子，４ｑ：内部接続端子，５：直列回路，６：ハウジング，６ｓ：ハウジングの側面部，６ｓｘ：側面部，６ｓｙ：側面部，６ｄ：ハウジングの底面部，６ｕ：ハウジングの平面部，７：表示部，７ｃ：位置表示部，７ｔ：位置表示部，３０：電源プラグ，４０：計測器，４１ａ：リード，４１ｂ：リード
【図１】
0003129839.tif 000003
【図２】
0003129839.tif 000004
【図３】
0003129839.tif 000005
【図４】
0003129839.tif 000006
【図５】
0003129839.tif 000007
【図６】
0003129839.tif 000008